(57)【特許請求の範囲】
【請求項１】
送信装置からのデータを一時蓄積する受信バッファと、
この受信バッファからのデータをスイッチング処理するスイッチ手段と、
このスイッチ手段の出力データを一時蓄積して受信装置へ送信する送信バッファと、
前記送信装置からの受信データのクロック成分に従属した従属クロックに同期して動作する従属モードと自走クロックに同期して動作する自走モードとを切り替え制御するモード制御手段と、
を含む交換装置であって、
前記モード制御手段によるモード切り替え時に、前記受信バッファからのデータの送出は停止せずに、前記送信バッファからのデータの送出を停止制御する制御手段を含むことを特徴とする交換装置。
【請求項２】
前記送信バッファからのデータの送出の停止を前記受信装置へ通知する通知手段を、更に含むことを特徴とする請求項１記載の交換装置。
【請求項３】
前記モード切り替え後のクロックの状態を監視するクロック監視手段を、更に含み、
前記制御手段は、この監視結果が許容値以内であれば前記送信バッファからのデータの送出停止を解除するようにしたことを特徴とする請求項１または２記載の交換装置。
【請求項４】
前記モード制御手段は、前記送信装置からのデータ伝送回線の回線品質に応じて前記モード切替え制御をなすようにしたことを特徴とする請求項１〜３いずれか記載の交換装置。
【請求項５】
ＡＴＭ（Ａｓｙｎｃｈｒｏｎｏｕｓ  Ｔｒａｎｓｆｅｒ  Ｍｏｄｅ）通信システムに用いられ、前記通知手段はＯＡＭ（Ｏｐｅｒａｔｉｏｎ  Ａｎｄ  Ｍａｉｎｔｅｎａｎｃｅ：保守運用）セルによる通知をなすことを特徴とする請求項１〜４いずれか記載の交換装置。
【発明の詳細な説明】
【０００１】
【発明の属する技術分野】
本発明は、交換装置に関し、特に、回線を介して接続される送受信装置間に設けられ、情報の中継伝送をなす交換装置に関するものである。
【０００２】
【従来の技術】
従来、通信データの欠損あるいは重複が生じないようにクロックを切替制御する技術として、特開平２−３０６７４０号公報に開示されている従属同期方式がある。図７にこの従属同期方式におけるデータ通信システムの中継方式のブロック図を示す。これは、データ伝送網において、現用系の従属クロックに障害が発生した場合、同期クロックを予備系の従属クロックあるいは自走クロックへ切り替えを行っているものである。
【０００３】
図７において、デジタル網２０は網同期クロック源である主クロック源１０を有し、デジタル信号を交換するデジタル交換機６と、デジタル信号を伝送するデジタル伝送路２００−１〜２００−ｎを介し、同期多重化装置４−０〜４−ｎに接続されている。同期多重化装置４−０〜４−ｎは、夫々デジタル伝送路４００−０〜４００−ｎを介してデジタル交換機６に接続されている。同期多重化装置４は、クロック抽出部４０と、自走クロック源４２と、切替スイッチ４４とを有し、クロック抽出部４０は、その入力がデジタル伝送路２００に接続されている。
【０００４】
クロック抽出部４０は、その出力が切替スイッチ４４の一方の入力に接続され、クロック抽出部４０で抽出された網同期クロック１０がクロック供給線４０１に出力される。切替スイッチ４４は、他方の入力が自走クロック源４２に接続されており、その出力がクロック供給線４０１を介しデジタル交換機６に接続されている。また、同期多重化装置４は障害情報線４０２を介し、デジタル交換機６に接続されている。
【０００５】
デジタル交換機６は、信号線４００−０〜４００−ｎ，４０１−０〜４０１−ｎ，４０２−０〜４０２−ｎを介し同期多重化装置４−０〜４−ｎに接続されている。デジタル交換機６は、障害監視部６０と、正常系クロック選択部６２と、自走クロック源６４と、切替スイッチ６６とを有する。障害監視部６０には、デジタル交換機６に接続されている同期多重化装置４の夫々の障害情報線４０２−０〜４０２−ｎと、クロック供給線４０１−０〜４０１−ｎとが接続されている。
【０００６】
正常系クロック選択部６２には、クロック供給線４０１−０〜４０１−ｎが接続され、障害監視部６０からの障害監視結果６００に基づきクロック供給線４０１−０〜４０１−ｎの中から何れかが選択出力される。正常系クロック選択部６２は、選択した正常系クロック６０２を切替スイッチ６６の一方に出力する。切替スイッチ６６は、他方が自走クロック６４に接続され、正常系クロック６０２あるいは自走クロック６４の何れかを選択し、デジタル交換機６の内部に供給する。
【０００７】
次に、この従属同期方式におけるデータ通信の動作について簡単に説明する。
デジタル交換機６に供給されている同期多重化装置４−０からの網同期クロック１０をクロック供給線４０１−０を介して正常系クロック選択部６２が選択している場合、デジタル伝送路２００−０の障害を同期多重化装置４−０が検出すると、スイッチ４４−０をクロック抽出部４０−０側から自走クロック４２−０側へ切り替えると共に、障害情報線４０２−０を介してデジタル交換機６の障害監視部６０へ通知する。
【０００８】
障害監視部６０は、この通知を受けると障害監視結果６００を介し正常系クロック選択部６２に網同期クロック１０の切り替えを指示する。正常クロック選択部６２は、クロック供給線を４０１−０から他の正常な網同期クロック１０を供給している４０１−１に切り替える。これにより、デジタル網２０の主クロック源１０に従属したシステムの同期が図られている。
【０００９】
また、デジタル伝送路２００−０〜２００−ｎの全てに障害が発生したことを障害監視部６０が検出すると、正常系クロック選択部６２が同期多重化装置４−０〜４−ｎの自走クロック源４２−０〜４２−ｎの何れかを選択し、デジタル交換機６は、これに同期する。更に、障害監視部６０が、クロック供給線４０１−０〜４０１−ｎの全ての異常を検出すると、デジタル交換機６は切替スイッチ６６を切り替え自走クロック源６４による独立運用を行う。
【００１０】
【発明が解決しようとする課題】
しかしながら、上記図７に示す従属同期方式では、伝送路に障害が発生した場合、クロックの状態を従属クロックあるいは自走クロックへ切り替えることにより、システムの同期を図っているものである。すなわち、クロック状態の切り替えを行うことが主目的となっており、クロック状態の切り替わりに伴う影響については何等考慮されていない。かかる場合、クロック状態の切り替わりによって、その瞬間クロックの精度が劣化するため、その間に送受信装置間に伝送される制御信号やデータ信号は誤り率が増加し、最悪の場合通信エラーになるという問題がある。この通信エラーを回復するためには、送信装置から受信装置に対して再度制御信号やデータ信号を送信する必要があるため、データ伝送効率が悪く、処理が複雑になるという課題もある。
【００１１】
また、クロック状態の切り替わりにおいて、一時的なクロック精度の劣化に伴い誤り率の高い制御信号やデータ信号が伝送されても、送受信装置に対してそれがクロック状態の切り替わりに起因するものである旨の通知をする手段がないため、送受信装置においては原因不明の誤り率の増加や通信エラーが発生するという問題もある。
【００１２】
そこで、本発明はかかる従来技術の問題点を解決すべくなされたものであって、その目的とするところは、クロック状態の切り替わりにおいて、一時的なクロック精度の劣化に伴う制御信号やデータ信号の誤り率の増加を防止すると共に、送受信装置に対して、クロック状態が切り替わっている旨を通知する優れた交換装置を提供することにある。
【００１３】
【課題を解決するための手段】
本発明によれば、
送信装置からのデータを一時蓄積する受信バッファと、
この受信バッファからのデータをスイッチング処理するスイッチ手段と、
このスイッチ手段の出力データを一時蓄積して受信装置へ送信する送信バッファと、
前記送信装置からの受信データのクロック成分に従属した従属クロックに同期して動作する従属モードと自走クロックに同期して動作する自走モードとを切り替え制御するモード制御手段と、
を含む交換装置であって、
前記モード制御手段によるモード切り替え時に、前記受信バッファからのデータの送出は停止せずに、前記送信バッファからのデータの送出を停止制御する制御手段を含むことを特徴とする交換装置が得られる。
【００１４】
そして、前記送信バッファからのデータの送出の停止を前記受信装置へ通知する通知手段を、更に含むことを特徴とし、前記モード切り替え後のクロックの状態を監視するクロック監視手段を更に含み、前記制御手段は、この監視結果が許容値以内であれば前記送信バッファからのデータの送出停止を解除するようにしたことを特徴とする。また、前記モード制御手段は、前記送信装置からのデータ伝送回線の回線品質に応じて前記モード切替え制御をなすようにしたことを特徴とする。
【００１５】
更に、ＡＴＭ（Ａｓｙｎｃｈｒｏｎｏｕｓ  Ｔｒａｎｓｆｅｒ  Ｍｏｄｅ）通信システムに用いられ、前記通知手段はＯＡＭ（Ｏｐｅｒａｔｉｏｎ  Ａｎｄ  Ｍａｉｎｔｅｎａｎｃｅ：保守運用）セルによる通知をなすことを特徴とする。
【００１６】
本発明の作用を述べる。交換装置の同期クロックが、回線の品質に応じて、従属クロックから自走クロックへ、自走クロックから従属クロックへ、あるいは従属クロックから他の従属クロックへ切り替えられる間、送信バッファ信号と受信バッファ信号とを用いて送信バッファ部からのデータ出力と受信バッファ部からのデータ出力とを一時的に中断する。更に、送信データバッファリング通知信号を用いて、送受信装置に対してデータの中継伝送が中断状態である旨を通知すると共に、クロック精度監視部において、切り替え後のクロックの精度を監視する。クロック精度が許容範囲以内に収まれば、切り替え後のクロック状態が安定したと判断され、送受信バッファ部の中断状態は解除され、送受信装置間のデータ伝送が再開される。これにより、クロック状態の切替に伴う送受信装置間の通信エラーを改善することが可能となる。
【００１７】
【発明の実施の形態】
以下に、添付図面を参照しつつ本発明の実施の形態について説明する。図１は本発明の実施の一形態における交換装置の構成を示すブロック図である。図１において、本発明による交換装置は、ＡＴＭ（Ａｓｙｎｃｈｒｏｎｏｕｓ  Ｔｒａｎｓｆｅｒ  Ｍｏｄｅ：非同期転送モード）交換機を想定しており、受信部１と、スイッチ機能部２と、送信部３とから構成され、受信部１の外部には送信装置４が、送信部３の外部には受信装置５が夫々接続されている。
【００１８】
受信部１は、従属クロック抽出部１１と、受信バッファ部１２とから構成されている。スイッチ機能部２は、制御部２１と、自走クロック生成部２２と、従属クロック回線選択部２３と、クロックモード選択部２４と、クロック精度監視部２５と、システムクロック供給部２６と、スイッチ部２７とから構成されている。送信部３は、送信バッファ部３１から構成される。また、従属クロック抽出部１１、受信バッファ部１２、および送信バッファ部３１を図１のように受信部１と送信部３とに夫々独立して設けることなく、スイッチ機能部２と一体化して構成しても動作に支障はないが、スイッチ機能部２に現用系と予備系といった冗長機能を持たせることを考慮すると、これ等は受信部１と送信部３とに夫々分離して設ける必要がある。
【００１９】
受信バッファ部１２は、外部に接続された送信装置から入力されたデータを受信ＡＴＭセル１０４として受信し、クロックデータ１０１と受信データ１０５とに分離する。従属クロック抽出部１１には受信バッファ部１２からのクロックデータ１０１が入力され、従属クロック回線選択部２３に対して抽出クロック１０２を供給している。受信バッファ部１２は従属クロック抽出部１１へクロックデータ１０１を出力すると共に、外部に接続された送信装置４からの受信ＡＴＭセル１０４を受信し、スイッチ部２７へ受信データ１０５として送出する。また、受信バッファ部１２は、制御部２１から受信バッファリング信号１０３を受信すると、スイッチ部２７への受信データ１０５の送出を停止状態にする。
【００２０】
制御部２１には受信バッファ部１２への受信バッファリング信号１０３と、従属クロック回線選択部２３への従属クロック回線選択信号２０１と、クロックモード選択部２４へのクロックモード選択信号２０２と、クロック精度監視部２５へのクロック精度監視信号２０３と、送信バッファ部３１への送信バッファリング信号３０１および送信データバッファリング通知信号３０２が接続されている。
【００２１】
自走クロック生成部２２は、クロックモード選択部２４に対して自走クロック２０４を供給している。従属クロック回線選択部２３は、制御部２１からの従属クロック回線選択信号２０１により、従属クロック抽出部１１からの抽出クロック１０２を選択し、クロックモード選択部２４へ従属クロック２０５を供給する。クロックモード選択部２４は、制御部２１からのクロックモード選択信号２０２により、自走クロック生成部２２から供給される自走クロック２０４と、従属クロック回線選択部２３から供給される従属クロック２０５との何れかを選択し、クロック精度監視部２５およびシステムクロック供給部２６へシステムクロック２０６を供給する。
【００２２】
クロック精度監視部２５には、制御部２１との間にクロック精度監視信号２０３が接続され、クロックモード選択部２４からシステムクロック２０６が供給される。システムクロック供給部２６にはクロックモード選択部２４からシステムクロック２０６が供給され、受信部１、スイッチ機能部２、および送信部３に対して基準クロックを供給する。スイッチ部２７は、受信バッファ部１２からの受信データ１０５を送信バッファ部３１への送信データ３０３として転送する。
【００２３】
送信バッファ部３１は、スイッチ部２７からの送信データ３０３を受信し、外部に接続された受信装置５へ送信ＡＴＭセル３０４として送出する。また、送信バッファ部３１は、制御部２１から送信バッファリング信号３０１を受信すると、受信装置５への送信ＡＴＭセル３０４の送出を停止状態にする。更に、送信バッファ部３１は、制御部２１から送信データバッファリング通知信号３０２を受信すると、受信装置５に対して、送信バッファ３１が送信ＡＴＭセル３０４の送出を停止状態にしている旨、および送信装置４に対して、受信バッファ１２が受信データ１０５の送出を停止状態にしている旨を夫々通知する。
【００２４】
次に、本発明の実施の一形態における交換装置の動作について図２および図３を参照しながら詳細に説明する。図２は本発明の交換装置の通常動作（クロック状態変更無し）時における動作を示すフローチャート図であり、図３および図４はクロック状態変更時の動作を示すフローチャート図である。
【００２５】
まず、通常動作について図２を用いて説明する。図２において、ステップ（以下、「Ｓ」という）１の処理において、受信ＡＴＭセル１０４が送信装置４から受信部１へ受信される。Ｓ２において、受信ＡＴＭセル１０４は受信バッファ部１２で一時蓄積される。また、Ｓ３の処理では、受信ＡＴＭセル１０４に含まれるクロックデータ１０１がクロック抽出部１１に送出される。この時、制御部２１からのクロックモード選択信号２０２によるクロックモード設定や、クロックモード選択信号２０２に関わらず、Ｓ４の処理では、常時従属クロック抽出部１１において、クロックデータ１０１から抽出クロック１０２が抽出される。ここで、抽出クロック１０２として抽出されるクロックは、周波数が同一で、送信装置が接続されている回線毎に位相の異なる複数の従属クロックである。そして、Ｓ５の処理では、従属クロック回線選択信号２０１の指示により、従属クロック回線選択部２３が従属クロック回線を選択する。更に、Ｓ６の処理では従属クロック回線選択部２３が従属クロック２０５をクロックモード選択部２４に送出する。すなわち、抽出クロック１０２の中から選択された回線のクロックが従属クロック２０５としてクロックモード選択部２４へ送出される。
【００２６】
更に、Ｓ７の処理において、制御部２１からのクロックモード選択信号２０２により、クロックモード選択部２４のクロックモードが、従属モードと自走モードとの何れに設定されているか否かの判別がなされる。クロックモードが自走モードに設定されている場合（Ｓ７：Ｎ）は、Ｓ９の処理へ移行し、自走クロック生成部２２は自走クロック２０４をクロックモード選択部２４に送出する。そして、Ｓ１０の処理で、クロックモード選択部２４は、自走クロック２０４をシステムクロック２０６としてクロック精度監視部２５に送出する。
【００２７】
一方、クロックモードが従属モードに設定されている場合（Ｓ７：Ｙ）は、Ｓ８の処理へ移行し、クロックモード選択部２４は、従属クロック回線選択部２３により選択された従属クロック２０５をシステムクロック２０６としてクロック精度監視部２５に送出する。その後、Ｓ１１の処理で、システムクロック２０６はクロック精度監視部２５において精度監視がなされる。その後、Ｓ１２の処理において、システムクロック２０６がシステムクロック供給部２６に供給される。そして、システムクロック２０６は、交換装置を構成する受信部１、スイッチ機能部２、および送信部３に対して供給される基準クロックとなる。
【００２８】
また、受信バッファ部１２から出力された受信データ１０５は、スイッチ部２７へ送出され、更に送信データ３０３としてスイッチ２７から送信部３へ送出される。送信バッファ部３１では、送信データ３０３を一時蓄積して、送信ＡＴＭセル３０４として受信装置５へ出力する。
【００２９】
次に、クロック状態変更時の動作について図３および図４を用いて説明する。
回線の品質に応じてクロック状態の変更が発生すると、Ｓ２０の処理において、制御部２１から受信バッファ部１２に対し、受信バッファリング信号１０３を用いて、受信データ１０５の送出停止を指示する。Ｓ２１の処理においても同様に、制御部２１から送信バッファ部３１に対し、送信バッファリング信号３０１を用いて、送信ＡＴＭセル３０４の送出停止を指示する。更に、Ｓ２２の処理で、制御部２１からの送信データバッファリング通知信号３０２を用いて、送信装置４および受信装置５に対して、データの中継伝送が中断状態である旨を通知する。これにより、送信装置４、および受信装置５においてデータ伝送が停止している原因が交換装置のクロック切り替えによるものであるということを認識することができる。また、この時、送信ＡＴＭセル３０４にはＯＡＭ（Ｏｐｅｒａｔｉｏｎ  Ａｎｄ  Ｍａｉｎｔｅｎａｎｃｅ：保守運用）セルが送信される。
【００３０】
ここで、クロック状態が変化する場合として自走モードから従属モード、従属モードから自走モード、および従属モードから従属モードに変化する場合があるため、夫々の場合について説明する。まず、自走モードから従属モードに変化する場合は、Ｓ２３の処理で、前述した図２のＳ３，Ｓ４，Ｓ５、およびＳ６の各処理を実行する。すなわち、予め選択された従属クロック２０５がクロックモード選択部２４に送出されているのである。Ｓ２４の処理では、制御部２１からのクロックモード選択信号２０２によって、クロックモード選択部２４のクロックモードは従属モードに設定される。そして、Ｓ２５の処理で、クロックモード選択部２４は、予め選択された従属クロック２０５をシステムクロック２０６としてクロック精度監視部２５に送出する。
【００３１】
次に、従属モードから自走モードに変化する場合は、Ｓ２６の処理で、前述した図２のＳ３，Ｓ４，Ｓ５、およびＳ６の各処理を実行する。すなわち、予め選択された従属クロック２０５がクロックモード選択部２４に送出されているのである。Ｓ２７の処理では、自走クロック生成部２２は自走クロック２０４をクロックモード選択部２４に送出する。そして、Ｓ２８の処理では、制御部２１からのクロックモード選択信号２０２によってクロックモードは自走モードに設定されるため、クロックモード選択部２４は、自走クロック２０４をシステムクロック２０６としてクロック精度監視部２５に送出し、選択されない従属クロック２０５はクロックモード選択部２４の入口で破棄される。
【００３２】
最後に、従属モードから異なる回線の従属モードに変化する場合は、Ｓ２９の処理で、前述した図２のＳ３、およびＳ４の各処理を実行する。すなわち、周波数が同一で、送信装置が接続されている回線毎に位相の異なる複数の従属クロックを含む抽出クロック１０２が従属クロック回線選択部２３に供給されているのである。そして、Ｓ３０の処理で、制御部２１からの従属クロック回線選択信号２０１によって、従属クロック回線選択部２３は従属クロック回線を切り替え、異なる従属クロック回線を新たに選択する。更に、Ｓ３１の処理で、従属クロック回線選択部２３は、この新たに選択した従属クロック２０５をクロックモード選択部２４に送出する。そして、Ｓ３２の処理で、クロックモード選択部２４は、選択後の従属クロック２０５をシステムクロック２０６としてクロック精度監視部２５に送出する。
【００３３】
上述した３通りのクロック状態の変化時には、クロックの周波数や位相の精度が瞬間的に悪化する。そのため、Ｓ３３の処理では、クロック精度監視部２５において、状態変化後のクロック精度を検出している。Ｓ３４の処理において、クロック精度が予め設定されたクロック精度許容値以内かどうかの判別を行い、許容値以内であれば（Ｓ３４：Ｙ）、Ｓ３５へ移行し、許容値を外れていれば（Ｓ３４：Ｎ）、Ｓ３３の処理に戻る。
【００３４】
Ｓ３５の処理では、状態変化後のクロック精度が安定し、許容値の範囲内に収まったため、クロック精度監視部２５は制御部２１からのクロック精度監視信号２０３を解除し、クロック精度が安定した旨を通知する。ここで、クロック精度許容値とは、制御信号やデータ信号の損失に実使用上影響しないクロック周波数や位相差の範囲のことで、ＡＴＭ交換機システム起動時の初期設定時に制御部２１からクロック精度監視部２５に対してクロック精度監視信号２０３を用いて設定される数値のことをいう。
【００３５】
Ｓ３６の処理において、制御部２１は送信バッファリング信号３０１を解除することにより、送信バッファ部３１からの送信ＡＴＭセル３０４の送出停止を解除する。そして、Ｓ３７の処理において、制御部２１は送信データバッファリング通知信号３０２を解除することにより、受信装置５に対し、データ伝送の中断状態が解除された旨を通知し、ＯＡＭセルの送信を停止する。
【００３６】
また、Ｓ３８の処理において、制御部２１は受信バッファリング信号１０３を解除することにより、受信バッファ部１２からの受信データ１０５の送出停止を解除する。そして、Ｓ３９の処理において、制御部２１は送信バッファリング通知信号３０２を解除することにより、送信装置４に対し、データ伝送の中断状態が解除された旨を通知する。これにより、クロック状態の変更がなされデータ通信が再開される。なお、図３および図４に示した一連の動作は、制御部２１内に格納されている記憶手段（図示せず）に記憶されたプログラムを実行することにより実現可能であり、その際、記憶手段として、ＲＯＭ（Ｒｅａｄ  Ｏｎｌｙ  Ｍｅｍｏｒｙ）やその他の記憶媒体が用いられる。
【００３７】
次に、本発明の他の実施の形態について説明する。図５は、本発明の他の実施の形態における交換装置の構成を示すブロック図である。図５において、制御部２１と送信バッファ部３１との間に、送信バッファ閾値超過信号３０５が設けられている点以外は、図１の場合と同様であり、それ以外の図１と同等部分については同一符号で示している。
【００３８】
図５において図１と異なるところは、クロック状態変更時に、制御部２１からの送信バッファリング信号３０１により、送信バッファ部３１からの送信ＡＴＭセル３０４の送出を停止状態にするのみで、受信バッファ部１２からスイッチ部２７への受信データ１０５の送出は停止状態にしないという点である。更に、制御部２１からの送信データバッファリング通知信号３０２により、受信装置５に対しては、送信バッファ３１が送信ＡＴＭセル３０４の送出を停止状態にしている旨通知するが、送信装置４に対しては通知することを要しない。
【００３９】
次に、本発明の他の実施の形態における交換装置の動作について図６を参照しながら詳細に説明する。図６は本発明の他の実施の形態における交換装置のクロック状態変更時の動作を示すフローチャート図である。図６において、回線の品質に応じてクロック状態の変更が発生すると、Ｓ４０，Ｓ４１の処理で、制御部２１から送信バッファ部３１に対し、送信バッファリング信号３０１を用いて、送信ＡＴＭセル３０４の送出停止を指示すると共に、制御部２１からの送信データバッファリング通知信号３０２を用いて、受信装置５に対してデータの中継伝送が中断状態である旨を通知する。これにより、受信装置５においてデータ伝送が停止している原因が交換装置のクロック切り替えによるものであるということを認識することができる。この時、送信ＡＴＭセル３０４にはＯＡＭセルが送信される点は先の実施の形態の場合と同じである。
【００４０】
ここで、クロック状態が変化する場合として自走モードから従属モード、従属モードから自走モード、および従属モードから従属モードに変化する場合があるが、これらの動作については先の実施の形態の場合と同様であるため、Ｓ４２，Ｓ４３およびＳ４４の処理についての詳細な説明は省略する。そして、Ｓ４２，Ｓ４３およびＳ４４の処理が終了した後、Ｓ４５およびＳ４６の処理において、状態変化後のクロック精度をクロック精度監視部２５で検出し、許容値以内かどうかの判別を行う。
【００４１】
Ｓ４６の処理で、クロック精度が許容値以内であれば（Ｓ４６：Ｙ）、Ｓ４７の処理へ移行し、クロック精度が許容値を外れていれば（Ｓ４６：Ｎ）、Ｓ５０の処理へ移行する。Ｓ５０の処理では、状態変化後のクロック精度が安定しない状態において、送信ＡＴＭセル３０４の送出を停止している送信バッファ部３１の蓄積量が閾値を超えているかどうかの判別を行う。Ｓ５０の処理において、閾値を超えていれば（Ｓ５０：Ｙ）、送信バッファ部３１から制御部２１に対し、送信バッファ閾値超過信号３０５を用いてその旨通知し、Ｓ５１の処理へ移行する。また、閾値を超えていなければ（Ｓ５０：Ｎ）、Ｓ４６の処理へ戻り、クロック精度が許容値以内かどうかの判別を行う。
【００４２】
Ｓ５１の処理では、送信バッファ部３１の蓄積量が閾値を超えているため、制御部２１から受信バッファ部１２に対し、受信バッファリング信号１０３を用いて、受信データ１０５の送出停止を指示する。そして、Ｓ５２の処理で、制御部２１からの送信データバッファリング通知信号３０２を用いて、送信装置４に対してデータの中継伝送が中断状態である旨を通知する。そして、Ｓ４６の処理へ戻り、クロック精度が許容値以内かどうかの判別を行う。
【００４３】
Ｓ４７の処理では、状態変化後のクロック精度が安定し、許容値の範囲内に収まったため、クロック精度監視部２５は制御部２１からのクロック精度監視信号２０３を解除し、クロック精度が安定した旨を通知する。そして、Ｓ４８の処理において、送信ＡＴＭセル３０４の送出を停止している送信バッファ部３１の蓄積量が閾値を超えているかどうかの判別を行い、閾値を超えていなければ（Ｓ４８：Ｎ）、Ｓ４９の処理へ移行し、閾値を超えていれば（Ｓ４８：Ｙ）、Ｓ５３の処理へ移行する。
【００４４】
Ｓ５３の処理では、前述したＳ５１とＳ５２の処理を実行する。すなわち、受信バッファ部１２に対して受信データ１０５の送出停止を指示すると共に、送信装置４に対して、データの中継伝送が中断状態である旨を通知する。Ｓ４８の処理において、送信バッファ部３１の蓄積量が閾値を超えていないと判断された場合（Ｓ４８：Ｎ）、あるいは閾値を超えていると判断され（Ｓ４８：Ｙ）、Ｓ５３の処理を行った場合は、夫々Ｓ４９の処理へ移行する。Ｓ４９の処理では、送信バッファ部３１から制御部２１に対する送信バッファ閾値超過信号３０５を解除した後、図３のＳ３６とＳ３７の処理を実行する。すなわち、送信バッファ部３１からの送信ＡＴＭセル３０４の送出停止を解除し、受信装置５に対しデータ伝送の中断状態が解除された旨を通知する。
【００４５】
この図６の実施の形態によれば、クロック精度の検出からデータ通信が再開されるまでの間に、送信バッファ部３１のバッファの蓄積量が閾値を超えた場合、送信バッファ閾値超過信号３０５により、送信バッファ部３１から制御部２１に対してその旨通知される。そして、制御部２１は受信バッファ部１２に対して受信バッファリング信号１０３により受信データ１０５の送出停止を指示し、送信データバッファリング通知信号３０２を用いて送信装置４に対してデータの中継伝送が中断状態であることを通知するのである。
【００４６】
かかる場合、上述した図３および図４の場合と比較して、送信バッファ部３１に蓄積される送信ＡＴＭセル３０４の閾値を監視する機能は必要となるが、送信ＡＴＭセル３０４が送信バッファ部３１の閾値を超えなければ、受信バッファ部１２に対する制御が不要となる。よって、クロック状態の変更が短時間で収まる場合には、送信装置４に対して何等制御を行うことなく、データ伝送の再開までの制御処理の負担が軽減されるという効果がある。
【００４７】
なお、本発明が上記実施の形態に限定されず、本発明の技術的思想の範囲内において適宜変更され得ることは明らかである。例えば、上記実施の形態で、クロック状態の変更後のクロック精度として周波数や位相差を監視しているが、変更後のクロックの安定性が確認できるものであれば他のパラメータを用いることも可能である。
【００４８】
【発明の効果】
叙上の如く、本発明によれば、クロック状態が切り替わる際、一時的にデータの中継伝送を停止状態にすると共に、切り替え後のクロック精度を監視し、精度が安定した後にデータ伝送の停止状態を解除することとしているため、クロック状態の切り替わり時の精度劣化に伴う送受信装置間の誤り率の増加や通信エラーの発生を未然に防ぐことが可能となる。従って、送信装置から受信装置に対するデータの再送処理が不要となり、伝送効率が改善されるという効果がある。
【００４９】
また、本発明によれば、送受信装置に対してデータ伝送の停止状態を通知しているため、送受信装置においてデータ伝送が停止している原因が交換装置のクロック切り替えによるものであるということを認識することができる。従って、送信装置が一方的にデータを送信し続けたり、受信装置で原因不明の通信エラーが発生するのを回避することができるという効果がある。
【図面の簡単な説明】
【図１】本発明の実施の形態における交換装置の構成を示すブロック図である。
【図２】本発明の交換装置の通常動作（クロック状態変更無し）時における動作を示すフローチャート図である。
【図３】本発明の交換装置のクロック状態変更時の動作を示すフローチャート図である。
【図４】本発明の交換装置のクロック状態変更時の動作を示すフローチャート図である。
【図５】本発明の他の実施の形態における交換装置の構成を示すブロック図である。
【図６】本発明の他の交換装置のクロック状態変更時の動作を示すフローチャート図である。
【図７】従来の交換装置の構成を示すブロック図である。
【符号の説明】
１  受信部
２  スイッチ機能部
３  送信部
４  送信装置
５  受信装置
１１  従属クロック抽出部
１２  受信バッファ部
２１  制御部
２２  自走クロック生成部
２３  従属クロック回線選択部
２４  クロックモード選択部
２５  クロック精度監視部
２６  システムクロック供給部
２７  スイッチ部
３１  送信バッファ部
１０１  クロックデータ
１０２  抽出クロック
１０３  受信バッファリング信号
１０４  受信ＡＴＭ（Ａｓｙｎｃｈｒｏｎｏｕｓ  Ｔｒａｎｓｆｅｒ  Ｍｏｄｅ：非同期転送モード）セル
１０５  受信データ
２０１  従属クロック回線選択信号
２０２  クロックモード選択信号
２０３  クロック精度監視信号
２０４  自走クロック
２０５  従属クロック
２０６  システムクロック
３０１  送信バッファリング信号
３０２  送信データバッファリング通知信号
３０３  送信データ
３０４  送信ＡＴＭセル
３０５  送信バッファ閾値超過信号
【図１】
0004564682.tif 000002
【図２】
0004564682.tif 000003
【図３】
0004564682.tif 000004
【図４】
0004564682.tif 000005
【図５】
0004564682.tif 000006
【図６】
0004564682.tif 000007
【図７】
0004564682.tif 000008